Podtech/llm-jp-corpus-v4-ja_patent huggingface dataset:
【手続補正書】
【提出日】平成26年8月21日(2014.8.21)
【手続補正１】
【補正対象書類名】特許請求の範囲
【補正対象項目名】全文
【補正方法】変更
【補正の内容】
【特許請求の範囲】
【請求項１】
難燃繊維であって、部分芳香族ポリアミドおよび非ハロゲン系難燃添加剤を含有して成る難燃繊維。
【請求項２】
前記部分芳香族ポリアミドが芳香族および脂肪族のジアミンおよび二酸の重合体もしくは共重合体を含んで成る請求項１記載の難燃繊維。
【請求項３】
前記部分芳香族ポリアミドが更に芳香族ジアミン単量体および脂肪族二酸単量体も含んで成る請求項２記載の難燃繊維。
【請求項４】
前記部分芳香族ポリアミドがＭＸＤ６である請求項１記載の難燃繊維。
【請求項５】
前記非ハロゲン系難燃添加剤がメラミンの縮合生成物（メラム、メレムおよびメロンを包含）、メラミンと燐酸の反応生成物（燐酸メラミン、ピロ燐酸メラミンおよびポリ燐酸メラミン（ＭＰＰ）を包含）、メラミンの縮合生成物と燐酸の反応生成物（ポリ燐酸メラム、ポリ燐酸メレム、ポリ燐酸メロンを包含）、シアヌル酸メラミン（ＭＣ）、ジエチルホスフィン酸亜鉛（ＤＥＰＺｎ）、ジエチルホスフィン酸アルミニウム（ＤＥＰＡｌ）、ジエチルホスフィン酸カルシウム、ジエチルホスフィン酸マグネシウム、ビスフェノール−Ａビス（ジフェニルホスフィネート）（ＢＰＡＤＰ）、レゾルシノールビス（２，６−ジキシレニルホスフェート）（ＲＤＸ）、レゾルシノールビス（ジフェニルホスフェート）（ＲＤＰ）、オキシ窒化燐、ホウ酸亜鉛、酸化亜鉛、錫酸亜鉛、ヒドロキシ錫酸亜鉛、硫化亜鉛、燐酸亜鉛、ケイ酸亜鉛、水酸化亜鉛、炭酸亜鉛、ステアリン酸亜鉛、ステアリン酸マグネシウム、八モリブデン酸アンモニウム、モリブデン酸メラミン、八モリブデン酸メラミン、メタホウ酸バリウム、フェロセン、燐酸ホウ素、ホウ酸ホウ素、水酸化マグネシウム、ホウ酸マグネシウム、水酸化アルミニウム、三水和アルミナ、グリコルリルおよび３−アミノ−１，２，４−トリアゾール−５−チオールのメラミン塩、カリウム、亜鉛および鉄のウラゾール塩、１，２−エタンジイル−４−４’−ビス−トリアゾリジン−３，５，ジオン、シリコーン、Ｍｇ、Ａｌ、Ｔｉ、Ｃｒ、Ｍｎ、Ｆｅ、Ｃｏ、Ｎｉ、Ｃｕ、Ｚｎ、Ｚｒ、Ｍｏ、Ｓｎ、Ｓｂ、Ｂａ、ＷおよびＢｉの酸化物、多面体のオリゴマー状シルセスキオキサン、炭素ナノチューブ、ナノ粘土、シリコタングステン酸（ＳｉＴＡ）、ホスホタングステン酸、タングステン酸のメラミン塩、直鎖、分枝もしくは環式ホスフェートもしくはホスホネート、スピロビスホスホネート、スピロビスホスフェートおよびこれらの組み合わせから成る群より選択される請求項１記載の難燃繊維。
【請求項６】
前記非ハロゲン系難燃添加剤がＭＰＰ、ＭＣ、ＤＥＰＺｎ、ＤＥＰＡｌおよびこれらの組み合わせから成る群より選択される請求項１記載の難燃繊維。
【請求項７】
前記非ハロゲン系難燃添加剤が重量で表して５％から１０％の濃度で存在する請求項１−６の１項記載の難燃繊維。
【請求項８】
難燃ステープル紡績ヤーンであって、請求項１−７の１項記載の少なくとも１種の難燃繊維を含有して成る難燃ステープル紡績ヤーン。
【請求項９】
更に追加的繊維も含有して成る請求項８記載の難燃ステープル紡績ヤーン。
【請求項１０】
前記追加的繊維がセルロース、アラミド、フェノール樹脂、ポリエステル、酸化アクリル樹脂、モダクリル樹脂、メラミン、絹、亜麻、麻、羊毛、ポリ（ｐ−フェニレンベンゾビスオキサゾール）（ＰＢＯ）、ポリベンゾイミダゾール（ＰＢＩ）およびポリスルホンアミド（ＰＳＡ）繊維から成る群より選択される請求項９記載の難燃ステープル紡績ヤーン。
【請求項１１】
前記追加的繊維が難燃剤による処理を受けている請求項９−１０の１項記載の難燃ステープル紡績ヤーン。
【請求項１２】
前記追加的繊維が綿、レーヨン、ポリエステルまたはリヨセルである請求項９記載の難燃ステープル紡績ヤーン。
【請求項１３】
難燃連続フィラメントヤーンであって、請求項１−７の１項記載の少なくとも１種の難燃繊維を含有して成りかつ前記難燃繊維が連続繊維である難燃連続フィラメントヤーン。
【請求項１４】
更に追加的連続フィラメント繊維も含有して成る請求項１３記載の難燃連続フィラメントヤーン。
【請求項１５】
前記追加的連続フィラメント繊維がアラミド、フェノール樹脂、ポリエステル、酸化アクリル樹脂、モダクリル樹脂、メラミン、リヨセル、ポリ（ｐ−フェニレンベンゾビスオキサゾール）（ＰＢＯ）、ポリベンゾイミダゾール（ＰＢＩ）およびポリスルホンアミド（ＰＳＡ）繊維から成る群より選択される請求項１４記載の難燃連続フィラメントヤーン。
【請求項１６】
前記追加的連続フィラメント繊維が難燃剤による処理を受けている請求項１４−１５の１項記載の難燃連続フィラメントヤーン。
【請求項１７】
請求項８−１６の１項記載のヤーンを含有して成る布。
【請求項１８】
更に追加的ヤーンも含有して成る請求項１７記載の布。
【請求項１９】
前記追加的ヤーンがセルロース、アラミド、フェノール樹脂、ポリエステル、酸化アクリル樹脂、モダクリル樹脂、メラミン、綿、絹、亜麻、麻、羊毛、レーヨン、リヨセル、ポリ（ｐ−フェニレンベンゾビスオキサゾール）（ＰＢＯ）、ポリベンゾイミダゾール（ＰＢＩ）およびポリスルホンアミド（ＰＳＡ）繊維から成る群より選択される繊維を含有して成る請求項１８記載の布。
【請求項２０】
難燃不織布であって、請求項１−７の１項記載の難燃繊維を含有して成る難燃不織布。
【請求項２１】
前記不織布がスパンボンド、メルトブローンおよびこれらの組み合わせから成る群より選択される工程で作られたものである請求項２０記載の難燃不織布。
【請求項２２】
少なくとも１種の繊維を含有して成る難燃布であって、前記繊維が部分芳香族ポリアミドおよび非ハロゲン系難燃添加剤を含有して成りかつ更に布が垂直燃焼試験で自己消化性を示す能力を有する難燃布。
【請求項２３】
少なくとも１種の繊維を含有して成る難燃布であって、前記繊維が部分芳香族ポリアミドおよび非ハロゲン系難燃添加剤を含有して成りかつ更に布が垂直燃焼試験で６０秒未満の残炎時間を示す能力を有する難燃布。
【請求項２４】
少なくとも１種の部分芳香族ポリアミド、少なくとも１種の脂肪族ポリアミドおよび少なくとも１種の非ハロゲン系難燃添加剤を含有して成る難燃繊維。
【請求項２５】
更に２番目の部分芳香族ポリアミドも含有して成る請求項２４記載の難燃繊維。
【請求項２６】
前記少なくとも１種の部分芳香族ポリアミドがＭＸＤ６でありそして前記２番目の部分芳香族ポリアミドがナイロン６／６Ｔである請求項２５記載の難燃繊維。
【手続補正書】
【提出日】平成26年9月19日(2014.9.19)
【手続補正１】
【補正対象書類名】特許請求の範囲
【補正対象項目名】全文
【補正方法】変更
【補正の内容】
【特許請求の範囲】
【請求項１】
携帯用コンピューティング機器の複数のディスプレイを制御する方法であって、
２つの画面を有する携帯用コンピューティング機器を提供することであって、前記２つの画面は互いに物理的に取り付けられ、互いに対し移動可能であり、前記携帯用コンピューティング機器が折り畳まれた場合、２つの画面の表面は実質的に反対側に面し、前記携帯用コンピューティング機器が開いている場合、２つの画面の表面は実質的に同じ側に面し、第１画面は、第１ジェスチャキャプチャ領域および第１タッチセンス機器を含み、第２画面は、第２ジェスチャキャプチャ領域および第２タッチセンス機器を含む、前記携帯用コンピューティング機器を提供すること、
前記携帯用コンピューティング機器でアプリケーションを実行して、前記アプリケーションの画面を前記複数のディスプレイの第１ディスプレイに表示すること、
前記携帯用コンピューティング機器のジェスチャセンサで第１ジェスチャ入力を受け取ることであって、前記ジェスチャセンサは、複数のディスプレイとは物理的に別体である、前記第１ジェスチャ入力を受け取ること、
前記第１ジェスチャ入力に応答して、前記画面が前記複数のディスプレイの少なくとも第２ディスプレイに表示されるように、前記複数のディスプレイを修正することを備え、
以下の（ａ）〜（ｃ）のうちの少なくとも１つが当てはまり、
（ａ）前記第１ジェスチャ入力は、指向性を有し、前記第２ディスプレイは、前記第１ジェスチャの方向に対応する前記第１ディスプレイの方向に配置され、前記画面は、単一のディスプレイを占め、前記修正することは、前記第１ディスプレイから前記第２ディスプレイに前記画面を移動することを含み、前記修正することは、前記第１ディスプレイにおいて下にある画面を露出すること、前記第２ディスプレイにおいて別の画面を覆い隠すことを含み、
（ｂ）前記第１ジェスチャ入力は、指向性を有し、前記第２ディスプレイは、前記第１ジェスチャの方向に対応する前記第１ディスプレイの方向に配置され、前記アプリケーションは、複数のディスプレイを占めるように拡大可能であり、前記修正することは、前記アプリケーションに対応する１以上の画面が前記第１ディスプレイおよび前記第２ディスプレイの両方を占めるように、前記アプリケーションを拡大することを含み、前記拡大することは、前記アプリケーションの親画面を前記第１ディスプレイに維持しながら、前記アプリケーションのノード画面を前記第２ディスプレイに移動することを含み、前記拡大することは、前記第１および第２ディスプレイを占めるように前記アプリケーションをスケーリングすることを含み、
（ｃ）前記修正することは、前記第１ディスプレイと前記第２ディスプレイとの間で前記画面の直線的な移動の制限を含む、方法。
【請求項２】
（ａ）が当てはまる、請求項１の方法。
【請求項３】
（ｂ）が当てはまる、請求項１の方法。
【請求項４】
（ｃ）が当てはまる、請求項１の方法。
【請求項５】
前記携帯用コンピューティング機器は、外部ディスプレイと動作的に通信し、
前記方法は、
前記画面を前記第１ディスプレイから外部ディスプレイに移すことをさらに含む、請求項４に記載の方法。
【請求項６】
前記画面が前記外部ディスプレイに移された後に、前記画面は、前記外部ディスプレイに関して制約なく移動可能である、請求項５に記載の方法。
【請求項７】
携帯用コンピューティング機器の複数のディスプレイを制御する方法であって、
前記携帯用コンピューティング機器でアプリケーションを実行して、前記アプリケーションの１以上の画面を前記携帯用コンピューティング機器の第１ディスプレイおよび第２ディスプレイに表示することであって、前記携帯用コンピューティング機器は、２つの画面を有し、前記２つの画面は互いに物理的に取り付けられ、互いに対し移動可能であり、前記携帯用コンピューティング機器が折り畳まれた場合、２つの画面の表面は実質的に反対側に面し、前記携帯用コンピューティング機器が開いている場合、２つの画面の表面は実質的に同じ側に面し、第１画面は、第１ジェスチャキャプチャ領域および第１タッチセンス機器を含み、第２画面は、第２ジェスチャキャプチャ領域および第２タッチセンス機器を含む、前記表示すること、
前記携帯用コンピューティング機器のジェスチャセンサでジェスチャ入力を受け取ることであって、前記ジェスチャセンサは、複数のディスプレイとは物理的に別体である、前記ジェスチャ入力を受け取ること、
前記アプリケーションが前記携帯用コンピューティング機器の前記第１ディスプレイに表示され、且つ前記アプリケーションが前記携帯用コンピューティング機器の前記第２ディスプレイに表示されないように、前記ジェスチャ入力に応答して前記複数のディスプレイを修正することを備え、
前記ジェスチャのディスプレイは指向性を有し、
前記第１ディスプレイは、前記ジェスチャの方向に対応し、
以下の（ａ）および（ｂ）のうちの少なくとも１つが当てはまり、
（ａ）前記修正することは、前記修正する前に、前記第２ディスプレイに表示されるノード画面を隠すことを含み、
（ｂ）前記修正することは、前記アプリケーションの視域を縮小することを含む、方法。
【請求項８】
（ａ）が当てはまる、請求項７に記載の方法。
【請求項９】
（ｂ）が当てはまる、請求項７に記載の方法。
【手続補正書】
【提出日】平成26年10月3日(2014.10.3)
【手続補正１】
【補正対象書類名】特許請求の範囲
【補正対象項目名】全文
【補正方法】変更
【補正の内容】
【特許請求の範囲】
【請求項１】
有機電子デバイスを製造するための方法であって、
ａ）有機層を有する少なくとも１つの機能ユニットを生成するステップと、
ｂ）前記機能ユニットの上に無機カプセル化層を堆積させるステップと、
ｃ）前記無機カプセル化層の上部に構造化された有機カプセル化層を堆積させるステップと、
ｄ）少なくとも１つの開口部を生成するために前記無機カプセル化層をエッチングするステップと、
ｅ）前記カプセル化層に少なくとも部分的に埋め込まれ、外部接点において外側からアクセス可能なように、前記開口部に少なくとも１つの伝導性ラインを堆積させるステップとを有する、方法。
【請求項２】
前記機能ユニットは、基板上に配置され、前記カプセル化層は、前記基板上の前記機能ユニットをカプセル化する、請求項１に記載の方法。
【請求項３】
複数の機能ユニットが共通基板上に配置される、請求項１に記載の方法。
【請求項４】
少なくとも１つの追加の無機カプセル化層及び追加の有機カプセル化層は、前記有機カプセル化層上に配置される、請求項１に記載の方法。
【請求項５】
前記無機カプセル化層、前記有機カプセル化層及び／又は伝導性ラインは、印刷、プロッティング、スロットダイコーティング、蒸発、スパッタリング、原子層堆積及び／又はＰＥＣＶＤにより堆積される、請求項１に記載の方法。
【請求項６】
前記無機カプセル化層の材料は、ＳｉＮ、ＳｉＯＮ、ＳｉＣ、ＡｌＯ、ＳｉＣＮ、Ａｌ２Ｏ３、ＳｉＯ２、ＴｉＯ２及び／又はＺｒＯ２を有する、請求項１に記載の方法。
【請求項７】
前記有機カプセル化層の材料は、少なくとも１つのポリマ、例えば、アクリル酸塩、ポリカーボネート若しくはポリイミド、及び／又は、架橋された小さい分子を有する、請求項１に記載の方法。
【請求項８】
前記機能ユニットの上に配置された層の厚さは、約２００μｍより小さい、好ましくは約５０μｍより小さい、請求項１に記載の方法。
【請求項９】
追加の有機層は、前記無機カプセル化層と前記機能ユニットとの間に配置される、請求項１に記載の方法。
【請求項１０】
少なくとも１つの外部接点は、前記機能ユニットの上に配置されるか、又は、少なくとも１つの外部接点は、前記機能ユニットの側方に配置される、請求項１に記載の方法。
【請求項１１】
少なくとも１つの伝導性ラインは、その上部側において有機カプセル化層により覆われる、請求項１に記載の方法。
【請求項１２】
前記機能ユニットは、前記無機カプセル化層において生成された前記少なくとも１つの開口部を介してエッチングにより分割される、請求項１に記載の方法。
【請求項１３】
前記機能ユニットは、発光ユニットである、請求項１に記載の方法。
【請求項１４】
前記電子デバイスは、ＯＬＥＤ、太陽電池又は有機メモリである、請求項１に記載の方法。
【手続補正書】
【提出日】平成26年9月10日(2014.9.10)
【手続補正１】
【補正対象書類名】特許請求の範囲
【補正対象項目名】全文
【補正方法】変更
【補正の内容】
【特許請求の範囲】
【請求項１】
分離領域を有する下部電極、上部電極、少なくとも１つの中間電極、及び複数の活性層を有するデバイス層スタックであって、前記下部電極が基板に付され、各活性層が２つの電極の間に閉じ込められるデバイス層スタックと、
前記デバイス層スタックの各電極のための配電層を有する配電手段と、
前記上部電極から前記デバイス層スタック内へ延在する複数の開口部であって、各開口部が、電極のコンタクト領域を露出させ、前記中間電極のコンタクト領域が、前記下部電極の分離領域を有する、複数の開口部と、
複数の電気コネクタであって、電気コネクタが、開口部内へ延在して、その開口部によって露出させられる前記電極を、その電極のための前記配電層に電気的に接続する複数の電気コネクタとを有するマルチデバイスＯＬＥＤ。
【請求項２】
前記配電手段が、複数の絶縁層を備えるコンタクト層スタックを有し、各絶縁層が、２つの配電層の間に挟まれる請求項１に記載のマルチデバイスＯＬＥＤ。
【請求項３】
前記配電手段が、前記コンタクト層スタック内へ延在する複数のバイア穴を有し、各バイア穴が、配電層のコンタクト領域を露出させる請求項２に記載のマルチデバイスＯＬＥＤ。
【請求項４】
前記配電手段が、各配電層のためのコンタクトエリアを有し、各コンタクトエリアが、その配電層を電源に接続するためのその配電層の露出部を有する請求項１乃至３のいずれか一項に記載のマルチデバイスＯＬＥＤ。
【請求項５】
電極と配電層との間の電気コネクタが、開口部及び／又はバイア穴内に配置される導電性ペーストの小滴を有する請求項１乃至４のいずれか一項に記載のマルチデバイスＯＬＥＤ。
【請求項６】
マルチデバイスＯＬＥＤを製造する方法であって、
下部電極、上部電極、少なくとも１つの中間電極、及び複数の活性層を有するデバイス層スタックを組み立てるステップであって、前記下部電極が基板に付され、各活性層が２つの電極の間に閉じ込められるステップを有し、前記デバイス層スタックを組み立てる前記ステップが、
前記下部電極の分離領域を形成するステップと、
前記分離領域も覆うよう、前記下部電極の上に第１活性層を付すステップと、
前記分離領域を露出させるよう、前記第１活性層の材料を取り除くステップと、
露出した前記分離領域も覆うよう、前記第１活性層の上に中間電極を付すステップと、
前記デバイス層スタックの各電極のための配電層を有する配電手段を組み立てるステップと、
前記上部電極から前記デバイス層スタック内へ延在する複数の開口部を形成するステップであって、各開口部が、前記中間電極又は前記下部電極のコンタクト領域を露出させるステップと、
電気コネクタを、各開口部内に配置して、その開口部によって露出させられる前記電極を、その電極のための前記配電層に電気的に接続するステップとを有する方法。
【請求項７】
電極のコンタクト領域を露出させるよう、開口部を形成する前記ステップが、その電極の上の前記デバイス層スタックの材料を取り除くよう、レーザーアブレーションを実施するステップを有する請求項６に記載の方法。
【請求項８】
配電手段を組み立てる前記ステップが、コンタクト層スタックであって、前記コンタクト層スタックの配電層が、絶縁層によって電気的に絶縁されるコンタクト層スタックを組み立てるステップを有する請求項６又は７のいずれか一項に記載の方法。
【請求項９】
前記コンタクト層スタックの配電層のコンタクト領域を露出させるよう、バイア穴を形成するステップを有する請求項８に記載の方法。
【請求項１０】
前記コンタクト層スタックが、前記デバイス層スタックの上に配置される場合に、電極の露出させられる領域が、その電極のための前記配電層の露出させられるコンタクト領域と向い合せに位置するように、前記デバイス層スタックの開口部に対応するよう、前記コンタクト層スタックにおいてバイア穴が形成される請求項９に記載の方法。
【請求項１１】
電気コネクタを配置する前記ステップが、電極の露出させられるコンタクト領域上に導電性ペーストの小滴を印刷するステップを有する請求項６乃至１０のいずれか一項に記載の方法。
【手続補正書】
【提出日】平成26年10月30日(2014.10.30)
【手続補正１】
【補正対象書類名】特許請求の範囲
【補正対象項目名】全文
【補正方法】変更
【補正の内容】
【特許請求の範囲】
【請求項１】
ＨＩＤランプを駆動するためのランプシステムであって、前記システムは、
中間電圧を供給する、制御可能なアップコンバータ電圧源段と、
前記中間電圧を受けるために接続された電圧レールと前記ランプに接続される出力端子とを持ち、交互の電流方向を持つ整流ＤＣランプ電流を生成する、制御可能なＨＢＣＦ電流源段と、
前記アップコンバータ電圧源段及び前記ＨＢＣＦ電流源段を制御するための制御装置とを有し、
前記制御装置は、通常モード及び調光モードで動作可能であり、
前記制御装置は、前記通常モードで動作する際に、前記中間電圧が所定の公称値を持つとともに、前記ランプ電流が所定の公称ランプ電流値を持つように、前記アップコンバータ電圧源段及び前記ＨＢＣＦ電流源段のための制御信号をそれぞれ生成し、
前記制御装置は、前記調光モードで動作する際に、前記ランプ電流が前記公称ランプ電流値よりも小さい値を持つように、電流制御信号を生成し、βは０から１までの範囲における調光レベルを示し、前記制御装置は、更に、少なくとも前記調光レベルの値域に対して、前記中間電圧が前記所定の公称値よりも大きい値を持つように、電圧制御信号を生成する、システム。
【請求項２】
前記中間電圧は、β＜１の全ての値に対して、前記所定の公称値よりも大きい値を持つ、請求項１記載のシステム。
【請求項３】
前記中間電圧は、β＜βＴの全ての値に対して、前記所定の公称値よりも大きい値を持ち、βＴ＜β＜１の範囲のβの全ての値に対して、前記所定の公称値を持ち、βＴは所定の閾値調光レベルを示す、請求項１記載のシステム。
【請求項４】
少なくとも１つの所定の閾値調光レベルを持ち、前記中間電圧は、前記閾値調光レベルよりも小さい調光レベルに対しては、前記所定の公称値よりも大きい値を持ち、前記閾値調光レベルよりも大きい調光レベルに対しては、前記所定の公称値よりも小さい値を持つ、請求項１記載のシステム。
【請求項５】
少なくとも２つの所定の閾値調光レベルを持ち、前記中間電圧は、２つの連続した前記閾値調光レベルの間にあるβの全ての値に対して一定値を有する、請求項１又は４に記載のシステム。
【請求項６】
所定の境界値β１と所定の境界値β２との間の少なくとも１つの調光範囲を持ち、当該調光範囲内で、前記中間電圧は、前記調光レベルβの連続関数であり、前記境界値の１つは、０に等しくてもよく、及び／又は、前記境界値の１つは、１に等しくてもよい、請求項１記載のシステム。
【請求項７】
前記連続関数は、線形関数である、請求項６記載のシステム。
【請求項８】
前記中間電圧が前記所定の公称値よりも大きい値を常に持つ、０と所定の第１境界値β１との間の調光範囲を有し、且つ、前記中間電圧が前記所定の公称値を常に持つ、１と所定の第２境界値β２との間の調光範囲を有する、請求項１記載のシステム。
【請求項９】
ＨＩＤランプを駆動及び調光する方法であって、前記方法は、
制御可能なＨＢＣＦ電流源段を供給するステップと、
交互の電流方向を持つ整流ＤＣランプ電流を生成するために前記ＨＢＣＦ電流源段を用いるステップと、
前記ＨＢＣＦ電流源段に中間電圧を供給するステップと、
通常モードにおいて、前記中間電圧が所定の公称値を有する一方、所定の公称電流値を有する整流ＤＣランプ電流を生成するステップと、
調光モードにおいて、前記中間電圧が前記所定の公称値よりも大きい値を有する一方、前記公称電流値よりも小さい電流値を有する整流ＤＣランプ電流を生成するステップとを有する、方法。
【請求項１０】
前記ＨＩＤランプは、前記電流値を徐々に減少することによって調光され、前記中間電圧は、所定の閾値調光レベルを通過する際、階段状に増加される、請求項９記載の方法。
【請求項１１】
前記ＨＩＤランプは、前記電流値を徐々に減少することによって調光され、少なくともある調光範囲内で、前記中間電圧は、前記電流値の減少に比例して連続的に増加される、請求項９記載の方法。
【請求項１２】
前記ＨＩＤランプは、前記電流値を第１の値から第２の値に減少することによって調光され、前記中間電圧は、前記電流値が減少される前に、前記第２の値に対応する電圧値に増加される、請求項９記載の方法。
【請求項１３】
前記ＨＩＤランプの調光は、前記電流値を第１の値から第２の値に増加することによって減少され、前記中間電圧は、前記電流値が増加された後に、前記第２の値に対応する電圧値に減少される、請求項９記載の方法。
【手続補正書】
【提出日】平成26年10月3日(2014.10.3)
【手続補正１】
【補正対象書類名】特許請求の範囲
【補正対象項目名】全文
【補正方法】変更
【補正の内容】
【特許請求の範囲】
【請求項１】
コンピューティングデバイスのファイルシステムにアクセスするための要求を、前記コンピューティングデバイス上で実行されているアプリケーションからアプリケーションプログラミングインターフェースを介して１又は複数のモジュールによって取得するステップと、
アクセスが許可されることを確認するためにユーザーによって選択可能なオプションを有した一部分を、何がその一部分の中に含まれているかを前記アプリケーションが知ることのないように、前記１又は複数のモジュールによってユーザーインターフェースに表出するステップと、
前記オプションの選択に応答して、前記ファイルシステムのどこに前記アクセスが許可されたかを前記アプリケーションが知ることのないように、前記１又は複数のモジュールによって前記アクセスを前記アプリケーションに許可するステップと、
を含む方法。
【請求項２】
アクセスが許可される前記ファイルシステム内のデータと前記ファイルシステム内の前記データの位置の両者が、前記アクセスが許可されることを確認するためにユーザーによって選択可能なオプションを有した一部分の中に、前記アプリケーションが何れの１つも知ることのないように表出される、請求項１に記載の方法。
【請求項３】
前記アクセスは、前記ファイルシステムによって管理されるストレージにデータを保存することである、請求項１又は２に記載の方法。
【請求項４】
前記アクセスは、前記アプリケーションによって処理するために、前記ファイルシステムによって管理されるストレージからデータを取得することである、請求項１〜３のいずれか一項に記載の方法。
【請求項５】
前記アクセスは、前記コンピューティングデバイスにネットワーク接続された別のコンピューティングデバイスに対するものである、請求項１〜４のいずれか一項に記載の方法。
【請求項６】
前記アクセスは、前記コンピューティングデバイスに通信可能に接続された周辺デバイスに対するものである、請求項１〜５のいずれか一項に記載の方法。
【請求項７】
前記ユーザーインターフェースは、前記アプリケーションが前記ファイルシステムを通じたナビゲーションを知ることなく前記ナビゲーションを可能にするように構成された１又は複数の視覚的なアフォーダンスを含んでいる、請求項１〜６のいずれか一項に記載の方法。
【請求項８】
前記アプリケーションは、前記１又は複数のモジュールを通じた前記ファイルシステムへのアクセスに制限され、それによって前記ファイルシステムへの直接的なアクセスを妨げられている、請求項１〜７のいずれか一項に記載の方法。
【請求項９】
前記アプリケーションが前記ファイルシステムへの直接的なアクセスに関して信頼されるべきであるか否かを判定するステップを更に含み、前記取得するステップは、前記アプリケーションが前記ファイルシステムへの直接的なアクセスに関して信頼されるべきではないという判定に応答して実施される、請求項１〜８のいずれか一項に記載の方法。
【請求項１０】
アプリケーションがコンピューティングデバイスのファイルシステムに直接アクセスすることを可能とすることなく前記ファイルシステムを通じたナビゲーションを提供するように構成された１又は複数の視覚的なアフォーダンスを含んだユーザーインターフェースを、前記コンピューティングデバイスによって実行されている前記アプリケーションによる要求に応答して前記コンピューティングデバイスによって出力するステップと、
前記ファイルシステムを通じたナビゲーションを指示する入力を受け取ったことに応答して、前記ユーザーインターフェース内の前記１又は複数の視覚的なアフォーダンスを更新するステップと、
を含む方法。
【請求項１１】
請求項１〜１０のいずれか一項に記載の方法を実行するためのプログラム。
【請求項１２】
請求項１〜１０のいずれか一項に記載の方法を実行するためのプログラムを記録した記録媒体。
【手続補正書】
【提出日】平成26年3月18日(2014.3.18)
【手続補正１】
【補正対象書類名】特許請求の範囲
【補正対象項目名】全文
【補正方法】変更
【補正の内容】
【特許請求の範囲】
【請求項１】
電子物品であって、
基板と、
前記基板に隣接した導電性素子と、
第１の表面及び第２の表面を有し、前記第１の表面が前記導電性素子の少なくとも一部に隣接した、高誘電率複合材料と、
前記高誘電率複合材料の前記第２の表面の少なくとも一部に隣接する電気活性層と、を備え、
前記高誘電率複合材料が、
ポリマー結合剤と、
前記結合剤中に保持された１〜８０体積％の粒子状充填剤と、を含み、
前記充填剤が、
導電層と、
前記導電層を実質的に包囲する絶縁層と、を含む粒子を含み、
前記電気活性層が、前記導電性素子と電気的に導通している、電子物品。
【請求項２】
前記高誘電率複合材料が、約４〜約５０の誘電率を有する、請求項１に記載の電子物品。
【請求項３】
前記充填剤が、コア本体を更に含む粒子を含む、請求項１に記載の電子物品。
【請求項４】
ディスプレイ装置を組み立てる方法であって、
導電性素子を基板に隣接して配置することにより導電性基板を形成する工程と、
透明基板に隣接して透明導体を配置する工程と、
電気活性層を前記透明導体に隣接して配置することにより透明電気活性基板を形成する工程と、
前記導電性基板上の前記導電性素子、前記透明電気活性基板上の前記電気活性層、又はその両方に隣接して高誘電率複合材料を塗布する工程と、
前記高誘電率複合材料が、前記導電性基板上の前記導電性素子及び前記透明電気活性基板上の前記電気活性層の両方に隣接して前記ディスプレイ装置を形成するように、前記導電性基板を前記透明電気活性基板に積層する工程と、を含む、方法。
【手続補正書】
【提出日】平成26年9月19日(2014.9.19)
【手続補正１】
【補正対象書類名】特許請求の範囲
【補正対象項目名】全文
【補正方法】変更
【補正の内容】
【特許請求の範囲】
【請求項１】
第１のシリコン貫通ビアの第１の端部を、第１の半導体チップの第１の側に近接する第１のダイシールに接続するステップと、
前記第１のシリコン貫通ビアの第２の端部を、前記第１の側の反対側である前記第１の半導体チップの第２の側に近接する第２のダイシールに接続するステップと、を含む、
製造方法。
【請求項２】
前記第１のダイシールをグラウンドに電気的に接続するステップを含む、請求項１の製造方法。
【請求項３】
前記第１の半導体チップは静電放電ダイオードを備え、前記製造方法は、前記第１のダイシールを前記静電放電ダイオードに電気的に接続するステップを含む、請求項１の製造方法。
【請求項４】
前記第１のシリコン貫通ビアの前記第１の端部を、前記第１の半導体チップの前記第１の側に近接する第３のダイシールに接続し、前記第１のシリコン貫通ビアの前記第２の端部を、前記第１の半導体チップの前記第２の側に近接する第４のダイシールに接続するステップを含む、請求項１の製造方法。
【請求項５】
第２のシリコン貫通ビアの第１の端部を前記第１の半導体チップの前記第１の側に近接する第３のダイシールに接続し、前記第２のシリコン貫通ビアの第２の端部を前記第１の半導体チップの前記第２の側に近接する第４のダイシールに接続するステップを含む、請求項１の製造方法。
【請求項６】
導体部材を前記第１および第２のシリコン貫通ビアの隣接する表面に接続するステップを含む、請求項５の製造方法。
【請求項７】
第２の半導体チップを前記第１の半導体チップに積層するステップを含む、請求項１の製造方法。
【請求項８】
前記第１のシリコン貫通ビアを前記第１の半導体チップの導通回路に電気的に接続するステップを含む、請求項１の製造方法。
【請求項９】
前記第１の半導体チップのゲッタリング層を通して前記第１のシリコン貫通ビアを横断するステップを含む、請求項１の製造方法。
【請求項１０】
第１の半導体チップ内に、第１の端部および第２の端部を含む第１のシリコン貫通ビアを形成するステップと、
前記第１のシリコン貫通ビアの前記第１の端部とオーミック接触する第１のダイシールを形成するステップと、
前記第１のシリコン貫通ビアの前記第２の端部とオーミック接触する第２のダイシールを形成するステップと、を含む、
製造方法。
【請求項１１】
前記第１のダイシールをグラウンドに電気的に接続するステップを含む、請求項１０の製造方法。
【請求項１２】
前記第１の半導体チップは静電放電ダイオードを備え、前記製造方法は、前記第１のダイシールを前記静電放電ダイオードに電気的に接続するステップを含む、請求項１０の製造方法。
【請求項１３】
前記第１のシリコン貫通ビアの前記第１の端部とオーミック接触する第３のダイシールと、前記第１のシリコン貫通ビアの前記第２の端部とオーミック接触する第４のダイシールとを形成するステップを含む、請求項１０の製造方法。
【請求項１４】
第１および第２の端部を備えた、前記第１の半導体チップ内の第２のシリコン貫通ビアと、前記第２のシリコン貫通ビアの前記第１の端部とオーミック接触する第３のダイシールと、前記第２のシリコン貫通ビアの前記第２の端部とオーミック接触する第４のダイシールとを形成するステップを含む、請求項１０の製造方法。
【請求項１５】
前記第１および第２のシリコン貫通ビアの隣接表面間に導体部材を形成するステップを含む、請求項１４の製造方法。
【請求項１６】
前記第１の半導体チップに第２の半導体チップを積層するステップを含む、請求項１０の製造方法。
【請求項１７】
前記第１のシリコン貫通ビアを前記第１の半導体チップの導通回路に電気的に接続するステップを含む、請求項１０の製造方法。
【請求項１８】
前記第１の半導体チップ内に、前記第１のシリコン貫通ビアに接触するゲッタリング層を形成するステップを含む、請求項１０の製造方法。
【請求項１９】
少なくとも前記第１のシリコン貫通ビアは、コンピュータ読取可能媒体内に記憶された命令を使用して形成される、請求項１０の製造方法。
【請求項２０】
第１の側と、反対側である第２の側とを有し、前記第１の側に近接する第１のダイシールと、前記第２の側に近接する第２のダイシールとを含む第１の半導体チップと、
前記第１のダイシールに接続された第１の端部と、前記第２のダイシールに接続された第２の端部とを有する第１のシリコン貫通ビアと、を備える、
装置。
【請求項２１】
前記第１のダイシールはグラウンドに電気的に接続されている、請求項２０の装置。
【請求項２２】
前記第１の半導体チップは、前記第１のダイシールに電気的に接続された静電放電ダイオードを備える、請求項２０の装置。
【請求項２３】
前記第１の側に近接し、前記第１のシリコン貫通ビアの前記第１の端部に接続された第３のダイシールと、前記第２の側に近接し、前記第１のシリコン貫通ビアの前記第２の端部に接続された第４のダイシールとを備える、請求項２０の装置。
【請求項２４】
前記第１の側に近接する第３のダイシールと、前記第２の側に近接する第４のダイシールと、前記第３のダイシールに接続された第１の端部および前記第４のダイシールに接続された第２の端部を有する第２のシリコン貫通ビアとを備える、請求項２０の装置。
【請求項２５】
前記第１および第２のシリコン貫通ビアの隣接表面に接続された導体部材を備える、請求項２４の装置。
【請求項２６】
前記第１の半導体チップに積層された第２の半導体チップを備える、請求項２０の装置。
【請求項２７】
前記第１の半導体チップは、前記第１のシリコン貫通ビアに電気的に接続された導通回路を備える、請求項２０の装置。
【請求項２８】
前記第１のシリコン貫通ビアと接触する、前記第１の半導体チップ内のゲッタリング層を備える、請求項２０の装置。
【請求項２９】
第１の側と、反対側の第２の側とを有し、前記第１の側に近接する第１のダイシールと、前記第２の側に近接する第２のダイシールとを含む第１の半導体チップと、
前記第１のダイシールに接続された第１の端部と、前記第２のダイシールに接続された第２の端部とを有する第１のシリコン貫通ビアと、を備える、
コンピュータ読取可能媒体に記憶された命令で実現される、装置。
【手続補正書】
【提出日】平成26年8月18日(2014.8.18)
【手続補正１】
【補正対象書類名】特許請求の範囲
【補正対象項目名】全文
【補正方法】変更
【補正の内容】
【特許請求の範囲】
【請求項１】
気化した接着材料をインプリント・リソグラフィ・プロセスに用いられる基板に供給するための蒸気供給システムであって、
１つ又はそれ以上の基板を保持するように構成され、真空源と流体連通し、かつ、１つ又はそれ以上の入口をさらに含む反応器チャンバと、
液体接着材料を保持するように構成された流体保持リザーバと、
前記流体保持リザーバを前記反応器チャンバの前記１つ又はそれ以上の入口に接続する供給ラインと、
前記供給ラインに沿って配置され、１つ又はそれ以上の小径コイル管をさらに含むインライン気化器と
を含むことを特徴とする蒸気供給システム。
【請求項２】
前記気化器と前記反応器チャンバとの間の前記供給ラインに沿って配置された阻流板をさらに含むことを特徴とする、請求項１に記載の蒸気供給システム。
【請求項３】
前記供給ラインに沿って配置された１つ又はそれ以上のパージ弁をさらに含むことを特徴とする、請求項１〜請求項２のいずれかに記載の蒸気供給システム。
【請求項４】
前記流体保持リザーバと前記気化器との間の前記供給ラインに接続されたＮ2パージ・ラインをさらに含むことを特徴とする、請求項１〜請求項３のいずれかに記載の蒸気供給システム。
【請求項５】
前記気化器と前記反応器との間の前記供給ラインに接続された真空バイパス・ラインをさらに含むことを特徴とする、請求項１〜請求項４のいずれかに記載の蒸気供給システム。
【請求項６】
前記流体保持リザーバ、前記気化器及び前記反応器のいずれか１つ又はそれ以上を加熱するための加熱要素をさらに含むことを特徴とする、請求項１〜請求項５のいずれかに記載の蒸気供給システム。
【請求項７】
複数のインライン気化器をさらに含むことを特徴とする、請求項１〜請求項６のいずれかに記載の蒸気供給システム。
【請求項８】
前記保持リザーバと流体連通する大量貯蔵リザーバをさらに含むことを特徴とする、請求項１〜請求項７のいずれかに記載の蒸気供給システム。
【請求項９】
前記大量貯蔵リザーバから前記保持リザーバへの液体接着材料の流れを制御するための、前記大量貯蔵リザーバと前記保持リザーバとの間に配置された流量コントローラをさらに含むことを特徴とする、請求項８に記載の蒸気供給システム。
【請求項１０】
気化した接着材料をインプリント・リソグラフィ・プロセスに用いられる基板に供給するための方法であって、
液体形態の接着材料を前記流体保持リザーバに提供するステップと、
前記流体保持リザーバを加熱して、ガス状接着材料を生成するステップと、
前記インライン気化器を通して前記ガス状接着材料を方向付けて気化した接着材料を生成するステップと、
前記気化した接着材料を、１つ又はそれ以上の基板を含む前記反応器チャンバに方向付けるステップと、
前記気化した接着材料が前記１つ又はそれ以上の基板上に堆積するのを可能にするステップと、
をさらに含むことを特徴とする、請求項１〜請求項９のいずれかに記載の蒸気供給システムを利用する方法。
【請求項１１】
前記接着材料は、インプリント・リソグラフィ・プロセスにおいて典型的に用いられる重合可能材料に共有結合できる官能基と、−ＣＨ2−リンカー基と、加水分解脱離基を有するＳｉ原子とを有するシラン化合物をさらに含むことを特徴とする、請求項１０に記載の蒸気供給方法。
【請求項１２】
前記接着材料は、アクリルオキシメチルトリメトキシシランをさらに含むことを特徴とする、請求項１１に記載の蒸気供給方法。
【手続補正書】
【提出日】平成26年9月3日(2014.9.3)
【手続補正１】
【補正対象書類名】特許請求の範囲
【補正対象項目名】全文
【補正方法】変更
【補正の内容】
【特許請求の範囲】
【請求項１】
データモデリングの方法であって、
以下の動作を実行するためにメモリに記憶されたコンピュータ実行可能命令を実行するように構成された少なくとも１つのプロセッサを使用するステップと、
第１のデータモデルから第２のデータモデルを生成するステップであって、前記第２のデータモデルが前記第１のデータモデルのカテゴリ的双対となるように、前記第１のデータモデルの１又は複数の形態のソースオブジェクトとターゲットオブジェクトを入れ替え、前記第１のデータモデルの合成形態の順序を入れ替えることによって、生成するステップと
を含むことを特徴とする方法。
【請求項２】
前記第２のデータモデルを二重化することによって、前記第２のデータモデルを前記第１のデータモデルに変形するステップをさらに含むことを特徴とする請求項１に記載の方法。
【請求項３】
リレーショナルデータモデルから非リレーショナルデータモデルを生成するステップを含むことを特徴とする請求項１に記載の方法。
【請求項４】
前記リレーショナルデータモデルからｋｅｙ−ｖａｌｕｅモデルを生成するステップを含むことを特徴とする請求項３に記載の方法。
【請求項５】
非リレーショナルデータモデルからリレーショナルデータモデルを生成するステップを含むことを特徴とする請求項１に記載の方法。
【請求項６】
構造化データモデルから非構造化データモデルを生成するステップを含むことを特徴とする請求項１に記載の方法。
【請求項７】
ＸＭＬデータモデルからドキュメントデータモデルを生成するステップを含むことを特徴とする請求項６に記載の方法。
【請求項８】
データモデルの変形を容易にするシステムであって、
メモリデバイスに結合された物理的プロセッサであって、前記メモリデバイスに記憶された以下のコンピュータ実行可能コンポーネントを実行するように構成された物理的プロセッサと、
第１のデータモデルを前記第１のデータモデルのカテゴリ的双対である第２のデータモデルに変形するように構成され、前記第１のデータモデルの１又は複数の形態のソースオブジェクトとターゲットオブジェクトを入れ替え、前記第１のデータモデルの合成形態の順序を入れ替えて、前記第２のデータモデルを生成する変形コンポーネントと
を備えたことを特徴とするシステム。
【請求項９】
前記第１のデータモデルは、リレーショナルデータモデルであることを特徴とする請求項８に記載のシステム。
【請求項１０】
前記第１のデータモデルは、非リレーショナルデータモデルであることを特徴とする請求項８に記載のシステム。
【請求項１１】
前記第１のデータモデルは、構造化データモデルであることを特徴とする請求項８に記載のシステム。
【請求項１２】
前記第２のデータモデルは、ＸＭＬデータモデルであることを特徴とする請求項１１に記載のシステム。
【請求項１３】
前記第２のデータモデルは、非構造化データモデルであることを特徴とする請求項８に記載のシステム。
【請求項１４】
前記第２のデータモデルは、ｋｅｙ−ｖａｌｕｅデータモデルであることを特徴とする請求項８に記載のシステム。
【請求項１５】
前記第２のデータモデルは、ドキュメントデータモデルであることを特徴とする請求項８に記載のシステム。
【手続補正書】
【提出日】平成26年8月29日(2014.8.29)
【手続補正１】
【補正対象書類名】特許請求の範囲
【補正対象項目名】全文
【補正方法】変更
【補正の内容】
【特許請求の範囲】
【請求項１】
ユーザ医学クエリから洗練された医学クエリを生成するシステムであって、前記ユーザ医学クエリが、ユーザ医学用語を含み、前記システムは、
前記ユーザ医学クエリをユーザから受信する入力部と、
医学ガイドラインファイル及び規則リポジトリにアクセスするアクセスコントローラであって、前記医学ガイドラインファイルが、医学情報アイテムを含み、前記規則リポジトリは、前記ユーザ医学用語に対して前記医学情報アイテムをリンクする規則を含む、アクセスコントローラと、
前記洗練された医学クエリに前記医学情報アイテムを包含することにより、前記ユーザ医学クエリから前記洗練された医学クエリを生成し、前記洗練された医学クエリを検索エンジンに提供するクエリ精製機とを有し、
前記アクセスコントローラが、アテンショントレイル・ファイルにアクセスするよう構成され、
前記アテンショントレイル・ファイルは、前記ユーザによる前記システムの使用を示すアテンション情報アイテムを有し、
前記クエリ精製機が、前記アテンション情報アイテムに基づき、前記洗練された医学クエリに前記医学情報アイテムを包含するよう構成される、システム。
【請求項２】
前記クエリ精製機が、前記ユーザ医学用語に対して前記医学情報アイテムをリンクする規則を得るため、前記規則リポジトリにおいて前記ユーザ医学用語を検索するよう構成される、請求項１に記載のシステム。
【請求項３】
前記クエリ精製機が、前記洗練された医学クエリを得るため、前記ユーザ医学クエリにおける前記ユーザ医学用語を前記医学情報アイテムで置換することにより、前記洗練された医学クエリに前記医学情報アイテムを包含するよう構成される、請求項１に記載のシステム。
【請求項４】
前記アクセスコントローラが、医学オントロジーにアクセスするよう構成され、
前記医学オントロジーは、前記ユーザ医学用語、及び前記ユーザ医学用語にリンクされるオントロジー医学用語を有し、
前記クエリ精製機が、
前記オントロジー医学用語を得るため、前記医学オントロジーにおける前記ユーザ医学用語を検索し、
前記オントロジー医学用語に対して更なる医学情報アイテムをリンクする規則を得るため、前記規則リポジトリにおいて前記オントロジー医学用語を検索し、及び
前記洗練された医学クエリに前記更なる医学情報アイテムを包含するよう構成される、請求項１に記載のシステム。
【請求項５】
前記アクセスコントローラが、患者データファイルにアクセスするよう構成され、
前記患者データファイルは、前記医学情報アイテム、及び前記医学情報アイテムにリンクされる患者情報アイテムを有し、
前記クエリ精製機が、
前記患者情報アイテムを得るため、前記患者データファイルにおける前記医学情報アイテムを検索し、及び
前記洗練された医学クエリに前記患者情報アイテムを包含するよう構成される、請求項１に記載のシステム。
【請求項６】
前記システムが更に、
検索結果を得るため、医学データリポジトリにおける前記洗練された医学クエリを検索する検索エンジンと、
前記検索結果を前記ユーザに提供する出力部とを有する、請求項１に記載のシステム。
【請求項７】
前記医学データリポジトリが、複数の医学ソースを有し、
前記検索エンジンは、前記複数の医学ソースに関連付けられる複数のランクにアクセスするランクマネージャを有し、
前記検索エンジンが、複数の検索結果を得るため、前記複数の医学ソースにおける前記洗練された医学クエリを検索し、前記複数のランクに基づき、前記複数の検索結果の少なくとも１つを選択するよう構成され、
前記出力部は、前記複数の検索結果の少なくとも１つを前記ユーザに提供するよう構成される、請求項７に記載のシステム。
【請求項８】
前記検索エンジンが更に、前記複数の医学ソースにおける少なくとも１つ及び／又は前記複数のランクにおける少なくとも１つを前記医学クエリの医学分野における専門家から受信する受信機を有する、請求項７に記載のシステム。
【請求項９】
前記複数の医学ソースにおける少なくとも１つ及び／又は前記複数のランクにおける少なくとも１つが、前記複数の医学ソースの専門家による使用を監視する使用モニタを用いて、専門家により提供される、請求項８に記載のシステム。
【請求項１０】
請求項１に記載のシステムを有するワークステーション。
【請求項１１】
ユーザ医学クエリから洗練された医学クエリを生成する方法において、前記ユーザ医学クエリが、ユーザ医学用語を有し、前記方法は、
前記ユーザ医学クエリをユーザから受信するステップと、
医学ガイドラインファイル及び規則リポジトリにアクセスするステップであって、前記医学ガイドラインファイルが、医学情報アイテムを含み、前記規則リポジトリは、前記ユーザ医学用語に対して前記医学情報アイテムをリンクする規則を含む、ステップと、
前記洗練された医学クエリに前記医学情報アイテムを包含することにより、前記ユーザ医学クエリから前記洗練された医学クエリを生成するステップであって、前記ユーザによる前記医学ガイドラインの使用を示すアテンション情報アイテムを有するアテンショントレイル・ファイルがアクセスされ、前記医学情報アイテムが、前記アテンション情報アイテムに基づき、前記洗練された医学クエリに包含される、ステップと、
前記洗練された医学クエリを検索エンジンに提供するステップとを有する、方法。
【請求項１２】
請求項１１に記載の方法をプロセッサシステムに実行させる命令を有するコンピュータプログラム。
【手続補正書】
【提出日】平成26年8月29日(2014.8.29)
【手続補正１】
【補正対象書類名】特許請求の範囲
【補正対象項目名】全文
【補正方法】変更
【補正の内容】
【特許請求の範囲】
【請求項１】
多次元画像及び注釈を表示するシステムであって、
前記多次元画像、前記注釈及び前記注釈に関連付けられる表現データを受信する受信手段であって、前記表現データが、前記多次元画像及び前記注釈の好ましい表現を示す、受信手段と、
前記多次元画像及び前記画像に配置される前記注釈の初期表現として画像の初期断面を表示するディスプレイ手段と、
前記初期表現が前記注釈の少なくとも第１の部分を示すとき、ユーザが視覚化リクエストを提供することを可能にする入力手段とを有し、
前記ディスプレイ手段が、前記視覚化リクエストを受信した後、前記表現データに基づき、前記多次元画像及び前記注釈の前記好ましい表現として画像の好ましい断面を表示するよう構成され、前記好ましい表現は、前記注釈の少なくとも第２の部分を示し、前記第２の部分が、前記第１の部分と異なり、前記好ましい断面は、前記初期断面とは異なる、システム。
【請求項２】
前記多次元画像が、３次元画像であり、
前記初期断面及び前記好ましい断面は、前記３次元画像の断面である、請求項１に記載のシステム。
【請求項３】
前記注釈が、前記３次元画像内の平面に配置され、
前記３次元画像の前記初期断面は、前記平面及び前記注釈と交差し、
前記３次元画像の前記好ましい断面が、前記平面及び前記注釈と一致する、請求項２に記載のシステム。
【請求項４】
前記多次元画像が、複数の時間依存３次元画像を有する４次元画像であり、
前記初期断面は、前記複数の時間依存３次元画像の初期画像の断面であり、
前記好ましい断面が、前記複数の時間依存３次元画像の好ましい画像の断面である、請求項１に記載のシステム。
【請求項５】
前記多次元画像の前記好ましい表現を用いて、ユーザが前記注釈を生成することを可能にする注釈生成手段を更に有し、
前記注釈生成手段が、前記好ましい表現に基づき、前記表現データを生成するよう構成される、請求項１に記載のシステム。
【請求項６】
前記好ましい表現において示される前記注釈の前記第２の部分が、前記初期表現において示される前記注釈の前記第１の部分より大きい、請求項１に記載のシステム。
【請求項７】
前記第２の部分が、前記注釈を含み、前記第１の部分は、前記注釈のサブセットである、請求項６に記載のシステム。
【請求項８】
前記入力手段が、前記注釈へのポインティングにより、又は前記注釈上でのクリックにより、ユーザが前記視覚化リクエストを提供することを可能にするポインティングデバイスである、請求項１に記載のシステム。
【請求項９】
前記ディスプレイ手段が、前記多次元画像及び前記注釈の前記初期表現を第１のウィンドウに表示し、前記多次元画像及び前記注釈の前記好ましい表現を第２のウィンドウに表示するよう構成され、
前記第２のウィンドウが、前記第１のウィンドウの上に又はそばに配置される、請求項１に記載のシステム。
【請求項１０】
前記ディスプレイ手段が、ディスプレイ設定を用いて、前記多次元画像及び前記注釈の前記初期表現を表示し、前記視覚化リクエストを受信した後、前記同じディスプレイ設定を用いて、前記多次元画像及び前記注釈の前記好ましい表現を表示するよう構成される、請求項１に記載のシステム。
【請求項１１】
前記ディスプレイ設定が、前記多次元画像及び前記注釈の前記初期表現のディスプレイコントラストを示す、請求項１０に記載のシステム。
【請求項１２】
請求項１に記載のシステムを有するワークステーション。
【請求項１３】
請求項１に記載のシステムを有する撮像装置。
【請求項１４】
多次元画像及び注釈を表示する方法において、
前記多次元画像、前記注釈及び前記注釈に関連付けられる表現データを受信するステップであって、前記表現データが、前記多次元画像及び前記注釈の好ましい表現を示す、ステップと、
前記多次元画像及び前記注釈の初期表現を表示するステップと、
前記初期表現が前記注釈の少なくとも第１の部分を示すとき、ユーザが視覚化リクエストを提供することを可能にするステップと、
前記視覚化リクエストを受信した後、前記表現データに基づき、前記多次元画像及び前記注釈の前記好ましい表現を表示するステップであって、前記好ましい表現は、前記注釈の少なくとも第２の部分を示し、前記第２の部分が、前記第１の部分と異なる、ステップとを有する、方法。
【請求項１５】
プロセッサシステムに請求項１４に記載の方法を実行させる命令を有するコンピュータプログラム。